(57)【要約】【課題】  ディジタル画像を分類属性と関連付けて保存する場合において、撮像時に分類属性が設定されなくてもディジタル画像の分類属性を特定可能なディジタルカメラ、画像分類方法、及び画像分類プログラムを提供する。【解決手段】  本発明に係るディジタルカメラは、被写体を撮像してディジタル画像を出力する撮像手段と、前記撮像手段から出力された前記ディジタル画像上の図形を認識する図形認識手段と、前記図形認識手段で認識された図形に基づいて分類属性を特定し、前記ディジタル画像を当該特定した分類属性と関連付けて第一の記憶媒体に保存する第一の保存手段と、を備える。ディジタル画像上の図形を認識して分類属性を特定するため、撮像時に分類属性が設定されなくてもディジタル画像の分類属性を特定できる。【選択図】    図１
2006074157.tif 000002
【特許請求の範囲】
【請求項１】
被写体を撮像してディジタル画像を出力する撮像手段と、
前記撮像手段から出力された前記ディジタル画像上の図形を認識する図形認識手段と、
前記図形認識手段で認識された図形に基づいて分類属性を特定し、前記ディジタル画像を当該特定した分類属性と関連付けて第一の記憶媒体に保存する第一の保存手段と、
を備えることを特徴とするディジタルカメラ。
【請求項２】
前記図形認識手段は、パターンマッチングによって前記図形を認識することを特徴とする請求項１に記載のディジタルカメラ。
【請求項３】
前記図形は文字であり、
前記図形認識手段は、ＯＣＲによって前記文字を認識することを特徴とする請求項１に記載のディジタルカメラ。
【請求項４】
前記第一の保存手段は、予め決められている一つ以上の分類属性の中から前記分類属性を特定することを特徴とする請求項１、２又は３に記載のディジタルカメラ。
【請求項５】
前記第一の保存手段は、前記図形認識手段で認識に失敗すると、分類属性を表示して選択を受け付け、前記ディジタル画像を選択された分類属性と関連付けて保存することを特徴とする請求項１〜４のいずれか一項に記載のディジタルカメラ。
【請求項６】
前記第一の保存手段は、前記図形認識手段で認識に失敗すると、前記ディジタル画像を、認識不能を表す分類属性と関連付けて保存することを特徴とする請求項１〜４のいずれか一項に記載のディジタルカメラ。
【請求項７】
前記第一の保存手段は、特定した分類属性を表示して保存の指示を受け付ける指示受付手段を有し、前記指示受付手段によって保存の指示を受け付けると前記ディジタル画像を保存することを特徴とする請求項１〜６のいずれか一項に記載のディジタルカメラ。
【請求項８】
前記第一の保存手段は、前記第一の記憶媒体に分類属性毎のフォルダを作成し、特定した分類属性に対応するフォルダに前記ディジタル画像を保存することを特徴とする請求項１〜７のいずれか一項に記載のディジタルカメラ。
【請求項９】
前記第一の保存手段は、特定した分類属性と前記ディジタル画像とを同一ファイルに格納して保存することを特徴とする請求項１〜７のいずれか一項に記載のディジタルカメラ。
【請求項１０】
前記第一の保存手段は、特定した分類属性を前記ディジタル画像のファイル名に含めて保存することを特徴とする請求項１〜７のいずれか一項に記載のディジタルカメラ。
【請求項１１】
請求項９又は１０に記載のディジタルカメラと、
第二の記憶媒体に分類属性毎のフォルダを作成し、前記第一の記憶媒体からディジタル画像を読み込み、読み込んだディジタル画像を前記第二の記憶媒体の当該ディジタル画像が関連付けられている分類属性に対応するフォルダに保存する第二の保存手段を有するファイル処理装置と、
を備えることを特徴とするファイル処理システム。
【請求項１２】
被写体を撮像してディジタル画像を出力する撮像段階と、
前記撮像段階で出力された前記ディジタル画像上の図形を認識する図形認識段階と、
前記図形認識段階で認識された図形に基づいて分類属性を特定し、前記ディジタル画像を当該特定した分類属性と関連付けて第一の記憶媒体に保存する第一の保存段階と、
を含むことを特徴とする画像分類方法。
【請求項１３】
被写体を撮像してディジタル画像を出力する撮像手段を有するディジタルカメラを、
前記撮像手段から出力された前記ディジタル画像上の図形を認識する図形認識手段と、
前記図形認識手段で認識された図形に基づいて分類属性を特定し、前記ディジタル画像を当該特定した分類属性と関連付けて第一の記憶媒体に保存する第一の保存手段として機能させることを特徴とする画像分類プログラム。
【発明の詳細な説明】
【技術分野】
【０００１】
本発明は、ディジタルカメラ、ファイル処理システム、画像分類方法、及び画像分類プログラムに関する。
【背景技術】
【０００２】
例えば政府や地方自治体などから発注される工事では、工事の進捗度合いを報告するに当たり、工事現場を撮像した工事現場写真を報告書に添付している。工事現場写真では任意に工事現場を撮像するだけでは足りず、「工種」、「種別」、「細別」などといった分類属性を黒板に書き込み、工事現場と黒板とを一緒に撮像する必要がある。分類属性を書き込んだ黒板を一緒に撮像すると、発注元では黒板上の文字列を見てどの分類属性に対応する工事現場写真であるかを容易に知ることができる。
【０００３】
従来、こうした報告書の作成を支援するため、撮像時に分類属性の設定を受け付け、撮像したディジタル画像と設定された分類属性とを関連付けて保存するディジタルカメラが知られている（例えば、特許文献１参照。）。従来のディジタルカメラでは、設定された分類属性をディジタル画像が格納されている画像ファイルの付属情報に記述することによってディジタル画像を分類属性と関連付けている。従来のディジタルカメラによると、ディジタル画像上に分類属性を表す文字列が合成されないため、ディジタル画像を損ねることがない。また、再生するときはディジタル画像に分類属性を重ね合わせて表示することにより、各ディジタル画像について分類属性を容易に確認することができる。
【０００４】
【特許文献１】特開２００３−４６８４９号公報
【発明の開示】
【発明が解決しようとする課題】
【０００５】
しかしながら、従来のディジタルカメラによると、ユーザは撮像時に分類属性を設定しなければならないため、撮像に手間がかかるという問題がある。
本発明はかかる問題に鑑みて創作されたものであって、ディジタル画像を分類属性と関連付けて保存する場合において、撮像時に分類属性が設定されなくてもディジタル画像の分類属性を特定可能なディジタルカメラ、画像分類方法、及び画像分類プログラムを提供することにある。
【０００６】
また、本発明の別の目的は、分類属性が関連付けられているディジタル画像を分類属性毎に整理して保存するファイル処理システムを提供することを目的とする。
【課題を解決するための手段】
【０００７】
上記目的を達成するため、本発明に係るディジタルカメラは、被写体を撮像してディジタル画像を出力する撮像手段と、前記撮像手段から出力された前記ディジタル画像上の図形を認識する図形認識手段と、前記図形認識手段で認識された図形に基づいて分類属性を特定し、前記ディジタル画像を当該特定した分類属性と関連付けて第一の記憶媒体に保存する第一の保存手段と、を備える。このディジタルカメラによると、ディジタル画像上の図形を認識することによって分類属性を特定するため、撮像時にユーザによって分類属性が設定されなくても分類属性を特定できる。
【０００８】
さらに本発明に係るディジタルカメラでは、前記図形認識手段は、パターンマッチングによって前記図形を認識する。
さらに本発明に係るディジタルカメラでは、前記図形は文字であり、前記図形認識手段は、ＯＣＲ（Optical Character Recognition）によって前記文字を認識する。
【０００９】
さらに本発明に係るディジタルカメラでは、前記第一の保存手段は、予め決められている一つ以上の分類属性の中から前記分類属性を特定する。このディジタルカメラによると、ディジタル画像が誤って存在しないはずの分類属性に関連付けられてしまうことを防止できる。
さらに本発明に係るディジタルカメラでは、前記第一の保存手段は、前記図形認識手段で認識に失敗すると、分類属性を表示して選択を受け付け、前記ディジタル画像を選択された分類属性と関連付けて保存する。このディジタルカメラによると、図形認識手段で図形の認識に失敗してもディジタル画像を適切な分類属性と関連付けることができる。
【００１０】
さらに本発明に係るディジタルカメラでは、前記第一の保存手段は、前記図形認識手段で認識に失敗すると、前記ディジタル画像を、認識不能を表す分類属性と関連付けて保存する。このディジタルカメラによると、認識に失敗したディジタル画像は認識不能を表す分類属性と関連付けられるため、記憶媒体に保存されているディジタル画像のうち、どれが認識に失敗したディジタル画像であるかを特定することができる。
【００１１】
さらに本発明に係るディジタルカメラでは、前記第一の保存手段は、特定した分類属性を表示して保存の指示を受け付ける指示受付手段を有し、前記指示受付手段によって保存の指示を受け付けると前記ディジタル画像を保存する。このディジタルカメラによると、ユーザは表示された分類属性を確認し、誤っていないことを確認した上で保存を指示することにより、ディジタル画像が誤った分類属性と関連付けられて保存されてしまうことを防止できる。
【００１２】
さらに本発明に係るディジタルカメラでは、前記第一の保存手段は、前記第一の記憶媒体に分類属性毎のフォルダを作成し、特定した分類属性に対応するフォルダに前記ディジタル画像を保存する。このディジタルカメラによると、関連付けられている分類属性に対応するフォルダに各ディジタル画像が保存されるため、ユーザはディジタル画像を分類属性毎に整理して保存する手間を低減できる。
【００１３】
さらに本発明に係るディジタルカメラでは、前記第一の保存手段は、特定した分類属性と前記ディジタル画像とを同一ファイルに格納して保存する。
さらに本発明に係るディジタルカメラでは、前記第一の保存手段は、特定した分類属性を前記ディジタル画像のファイル名に含めて保存する。
【００１４】
上記目的を達成するため、本発明に係るファイル処理システムは、請求項９又は１０に記載のディジタルカメラと、第二の記憶媒体に分類属性毎のフォルダを作成し、前記第一の記憶媒体からディジタル画像を読み込み、読み込んだディジタル画像を前記第二の記憶媒体の当該ディジタル画像が関連付けられている分類属性に対応するフォルダに保存する第二の保存手段を有するファイル処理装置と、を備える。このファイル処理システムによると、関連付けられている分類属性に対応するフォルダに各ディジタル画像が保存されるため、ディジタル画像を分類属性毎に整理して保存する手間を低減できる。
【００１５】
上記目的を達成するため、本発明に係る画像分類方法は、被写体を撮像してディジタル画像を出力する撮像段階と、前記撮像段階で出力された前記ディジタル画像上の図形を認識する図形認識段階と、前記図形認識段階で認識された図形に基づいて分類属性を特定し、前記ディジタル画像を当該特定した分類属性と関連付けて第一の記憶媒体に保存する第一の保存段階と、を含む。この画像分類方法によると、ディジタル画像を分類属性と関連付けて保存する場合において、撮像時に分類属性が設定されなくてもディジタル画像の分類属性を特定できる。
【００１６】
上記目的を達成するため、本発明に係る画像分類プログラムは、被写体を撮像してディジタル画像を出力する撮像手段を有するディジタルカメラを、前記撮像手段から出力された前記ディジタル画像上の図形を認識する図形認識手段と、前記図形認識手段で認識された図形に基づいて分類属性を特定し、前記ディジタル画像を当該特定した分類属性と関連付けて第一の記憶媒体に保存する第一の保存手段として機能させる。この画像分類プログラムによると、ディジタル画像を分類属性と関連付けて保存する場合において、撮像時に分類属性が設定されなくてもディジタル画像の分類属性を特定できる。
【００１７】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００１８】
以下、本発明を実施するための最良の形態を実施例に基づいて説明する。
（第一実施例）
図２は、本発明の第一実施例に係るディジタルカメラとしてのディジタルスチルカメラ（ＤＳＣ）１のハードウェア構成を示すブロック図である。
光学系１１は、一つ以上のレンズで構成されるレンズ群１１ａ、レンズ群１１ａの中に設けられる絞り１１ｂなどで構成されている。光学系１１はイメージセンサ１２の受光面に被写体の光学像を結像する。
【００１９】
イメージセンサ１２は、２次元空間に離散的に配置された光電変換素子とＣＣＤ（Charge Coupled Device）などの電荷転送素子とを備えた撮像素子であり、所謂ＣＣＤイメージセンサ、ＣＭＯＳイメージセンサなどである。イメージセンサ１２は図示しないセンサコントローラによって駆動される。イメージセンサ１２は光学系１１により結像された光学像を光電変換して得られる電荷を光電変換素子毎に一定時間蓄積し、光電変換素子毎の受光量に応じた電気信号を出力する。イメージセンサ１２は受光面にＣ（Cyan）、Ｍ（Magenta）、Ｙ（Yellow）及びＧ（Green）の４色フィルタ、またはＲ（Red）、Ｇ（Green）及びＢ（Blue）の３色フィルタを設けることによりカラー画像情報を取り込むことが可能である。
【００２０】
アナログフロントエンド（ＡＦＥ）部１３は、イメージセンサ１２から出力される電気信号をＡＤ変換器でディジタル信号に量子化して出力する。具体的には例えば、ＡＦＥ部１３は電気信号に含まれる雑音の低減処理であるＣＤＳ（Correlated Double Sampling）処理、画像の黒レベルを再現するためのオプティカル・ブラック・クランプ制御や、ゲインの調整による電気信号のレベル調整処理、所定ビット長のディジタル信号に量子化する量子化処理などを行ってディジタル画像処理部１４にディジタル信号を出力する。
【００２１】
ディジタル画像処理部１４は、ＡＦＥ部１３から出力されたディジタル信号に対し、画像形成処理、ホワイトバランス補正、ガンマ補正、形成したディジタル画像の色空間を変換する色空間変換処理、形成したディジタル画像の階調値を８ビットに変換する処理などを施して制御部２０に出力する。ここで画像形成処理とは、例えば規則性をもって市松模様に色フィルタが配列されるイメージセンサ１２の各画素（センサの表面にある一色の色フィルタが形成されている）から出力された１色分の階調値についてＲ、Ｇ、Ｂいずれか他の２色を近傍画素の各色の階調値で補間することにより、全ての画素にＲ、Ｇ、Ｂの色情報を持たせてディジタル画像を形成する処理のことをいう。なお、ディジタル画像処理部１４で施す上記各種の処理は、制御部２０で実行するコンピュータプログラムによる処理に置き換えてもよい。
【００２２】
圧縮・伸張部１５は、制御部２０から出力されたディジタル画像を圧縮し、また、圧縮されたディジタル画像を伸張する。圧縮・伸張部１５は具体的には例えば非可逆圧縮方式であるＪＰＥＧ形式や、データの切り捨てを伴わない可逆圧縮方式を用いた圧縮を行う。圧縮・伸張部１５は圧縮を行わないＴＩＦＦ形式のディジタル画像に変換することも可能に構成されている。
【００２３】
第一の保存手段としての外部記憶部２１は、第一の記憶媒体としてのリムーバブルメモリ２２を接続するための接続端子、メモリコントローラなどを備える。リムーバブルメモリ２２は電源が切れても記憶内容が失われないフラッシュメモリなどのような不揮発性メモリである。なお、リムーバブルメモリ２２はフレキシブルディスクなどであってもよい。外部記憶部２１は制御部２０によって制御され、圧縮・伸張部１５で圧縮されたディジタル画像をリムーバブルメモリ２２へ書き込む処理、及びリムーバブルメモリ２２に記憶されているディジタル画像を読み出す処理を行う。
【００２４】
表示部１８は、ＬＣＤ（Liquid Crystal Display）、ＬＣＤを制御するディスプレイコントローラなどを備える。表示部１８は制御部２０によって制御され、撮像モードでは電子ビューファインダとして機能し、再生モードではリムーバブルメモリ２２から読み出したディジタル画像を表示するモニタとして機能する。この他、表示部１８は種々の設定を行うための各種のメニューを表示する。
【００２５】
操作部１９は、シャッタボタン、露光条件やその他各種の撮像条件を設定するためのダイヤルスイッチ、表示部１８に表示される各種のメニューを操作するための複数の押しボタンスイッチや十字キーなどを備える。
制御部２０は、ＣＰＵ２０ａ、フラッシュメモリ２０ｂ、ＲＡＭ２０ｃを備える。ＣＰＵ２０ａはフラッシュメモリ２０ｂに記憶されているプログラムを実行することでＤＳＣ１の全体を制御する。また、ＣＰＵ２０ａはフラッシュメモリ２０ｂに記憶されている画像分類プログラムを実行することで図形認識手段、第一の保存手段、及び指示受付手段としても機能する。フラッシュメモリ２０ｂは、画像分類プログラム、分類属性を表す文字列、分類属性を表す文字列を表す画像を２値化した２値化データ、その他各種のプログラムやデータなどを記憶しているメモリである。ＲＡＭ２０ｃは各種のプログラムやデータを一時的に記憶するためのメモリである。フラッシュメモリ２０ｂに記憶する各種のプログラムやデータは所定のサーバからネットワークを介してダウンロードして記憶してもよいし、リムーバブルメモリ２２などのコンピュータ読み取り可能な記憶媒体から読み出して記憶してもよい。
【００２６】
特許請求の範囲に記載の「撮像手段」は光学系１１、イメージセンサ１２、ＡＦＥ部１３、ディジタル画像処理部１４、及び制御部２０に相当する。特許請求の範囲に記載の「指示受付手段」は表示部１８、操作部１９、及び制御部２０に相当する。
【００２７】
次に、図形認識の対象となるディジタル画像の一例について説明する。
図３は、ディジタル画像の一例である。図示するディジタル画像３０は報告書に添付するために工事現場を撮像した工事現場写真である。工事現場写真では任意に工事現場を撮像するだけでは足りず、工種、種別、細別などといった分類属性を黒板３６に書き込んで工事現場と一緒に撮像する必要がある。工事現場写真の場合、発注元から工事現場を分類属性毎のフォルダに整理して提出するよう要求される場合がある。分類属性は数百にものぼり、それぞれ写真を撮像する必要があるため、それをユーザが手作業で整理しようとすれば膨大な時間が必要になる。そこで、以降の説明では工事現場写真をＤＳＣ１によって分類整理する場合を例に説明する。
【００２８】
次に、画像分類プログラムについて説明する。
図４は、画像分類プログラムの論理的な構成を示すブロック図である。画像分類プログラムは、黒板領域特定部３１、図形認識部３２、選択受付部３３、指示受付部３４、及び第一の保存部３５を備える。黒板領域特定部３１は、工事現場写真において黒板を表している領域を特定する。図形認識部３２は、パターンマッチングによって黒板領域上の文字列を図形として認識する。選択受付部３３は、図形認識部３２で認識に失敗した場合に、候補となる分類属性を表示して分類属性の選択を受け付ける。指示受付部３４は、図形認識部３２で認識された分類属性又は選択受付部３３で選択された分類属性を確認のために表示し、保存の指示を受け付ける。第一の保存部３５は、図形認識部３２で認識された文字列に基づいて分類属性を特定し、ディジタル画像を当該特定した分類属性と関連付けてリムーバブルメモリ２２に保存する。又、第一の保存部３５は、選択受付部３３で分類属性が選択された場合はディジタル画像を当該選択された分類属性と関連付けてリムーバブルメモリ２２に保存する。
【００２９】
図５は、ＤＳＣ１の処理の流れを示すフローチャートである。図５に示す処理は、ユーザがシャッタボタンを押下してディジタル画像が出力されると開始される。
Ｓ１０５では、ＤＳＣ１はディジタル画像上の黒板領域を特定する。黒板領域の特定は、具体的には例えば明度を利用して行う。ここで明度とはディジタル画像がＹＣｂＣｒ色空間で表される場合であればＹ（輝度）成分の階調値のことをいい、ＲＧＢ色空間で表される場合であれば画素のＲ（赤）、Ｇ（緑）、Ｂ（青）の各チャンネルの階調値のことをいう。黒板は背景部分が深緑色で色の変化がほとんどないため、所定の広さに亘って明度の変化が小さい領域を見つけることでディジタル画像上の黒板領域を特定することができる。なお、ＲＧＢ色空間で表されるディジタル画像の場合は、Ｇ（緑）チャンネルの明度のみを用いて領域を特定することも有効である。
【００３０】
Ｓ１１０では、ＤＳＣ１は黒板領域上の文字列を認識する。文字列の認識は、例えば特定した黒板領域の背景色を白、文字色を黒に２値化して黒板領域データを作成し、フラッシュメモリ２０ｂに記憶されている２値化データとのパターンマッチングを行うことによって行う。ＤＳＣ１はフラッシュメモリ２０ｂに記憶されている２値化データを黒板領域データと順に比較し、黒板領域データと一致する率が最も高い２値化データを特定する。ただし、一致する率が最も高くても、その率が所定の閾値未満であれば認識失敗とする。認識は工種、種別、細別の順で行う。例えば黒板に「護岸基礎工」、「法留基礎工」、「法留基礎」という文字列が記入されているとする。この場合、図形認識部３２は最初に工種を表す文字列を表す画像を２値化した２値化データを黒板領域データと順に比較し、その結果、「護岸基礎工」という文字列を表す画像を２値化した２値化データが特定される。これにより「護岸基礎工」という文字列が認識される。次に、「護岸基礎工」に属する種別を表す文字列を表す画像を２値化した２値化データを順に比較し、その結果、「法留基礎工」という文字列が認識される。次に、「法留基礎工」に属する細別を表す文字列を表す画像を２値化した２値化データを順に比較し、その結果、「法留基礎」という文字列が認識される。なお、工事現場写真の場合は前回と同じ工種、種別、細別で撮像されることが多いため、前回認識した文字列との比較を最優先に行うことが望ましい。
【００３１】
Ｓ１１５では、ＤＳＣ１は認識に成功したか否かを判定する。認識に失敗した場合はＳ１２０に進む。成功した場合はＳ１２５に進む。
Ｓ１２０では、ＤＳＣ１は図６に示すように候補となる分類属性を表示して選択を受け付ける。ここで候補となる分類属性とは、例えば認識できた文字を含んでいる分類属性のことをいう。例えば「護岸基礎工」、「法留基礎工」までは認識に成功したとする。工種が「護岸基礎工」であり種別が「法留基礎工」であるときの細別は「法留基礎」又は「現場打コンクリート工」のいずれかであるとすると、「護岸基礎工、法留基礎工、法留基礎」という分類属性及び「護岸基礎工、法留基礎工、現場打コンクリート工」という分類属性が候補として表示される。候補となる分類属性が表示されるとユーザは十字キー１９ｃを操作して該当する分類属性にカーソル４１を移動し、ボタン１９ｂを押下することにより選択を行う。ユーザによりボタン１９ｂが押下されると、ＤＳＣ１はそのときカーソル４１に指示されている分類属性を選択された分類属性として受け付ける。従って、分類属性の認識に失敗してもディジタル画像を適切な分類属性と関連付けることができる。なお、候補となる分類属性がなければ全ての分類属性を表示してもよいし、常に全ての分類属性を表示するようにしてもよい。
【００３２】
Ｓ１２５では、ＤＳＣ１は認識した文字列に基づいて分類属性を特定し、特定した分類属性、又はＳ１２０で選択された分類属性を画面に表示してユーザに確認を促す。なお、以降の説明では、「選択された分類属性」も含めて「特定した分類属性」というものとする。例えば認識した文字列が「護岸基礎工」、「法留基礎工」、「法留基礎」であるとすると、ＤＳＣ１は「護岸基礎工、法留基礎工、法留基礎」を分類属性として特定する。前述したように第一実施例では予め２値化されている文字列以外の文字列は認識されないため、分類属性は予め決められている一つ以上の分類属性の中から特定されることになる。予め決められている分類属性の中から分類属性を特定するようにすると、存在しないはずの分類属性にディジタル画像が関連付けられてしまうことを防止できる。ＤＳＣ１は分類属性を特定すると、特定した分類属性を図７に示すようにＬＣＤに表示する。ユーザは表示された分類属性を確認し、間違っていなければボタン１９ｂを押下する。間違っていればボタン１９ａを押下する。分類属性を画面に表示してユーザに確認を促すようにすると、ユーザは表示された分類属性を確認し、誤っていないことを確認した上で保存を指示することにより、ディジタル画像が誤った分類属性と関連付けられて保存されてしまうことを防止できる。
【００３３】
Ｓ１３０では、ＤＳＣ１は保存が指示されたか否かを判定する。ボタン１９ｂが押下された場合は保存が指示されたと判定してＳ１３５に進み、ボタン１９ａが押下された場合は処理を終了する。
Ｓ１３５では、ＤＳＣ１は特定した分類属性と関連付けてディジタル画像を保存する。第一実施例では分類属性毎にフォルダを作成し、特定した分類属性に対応するフォルダにディジタル画像を保存することによりディジタル画像を分類属性と関連付ける。例えば分類属性として「護岸基礎工、法留基礎工、法留基礎」が特定されたとする。この場合、ＤＳＣ１は図１に示すように所定のフォルダの直下に「護岸基礎工」フォルダを作成し、その直下に「法留基礎工」フォルダを作成し、その直下に「法留基礎」フォルダを作成する。そして、ディジタル画像を格納した画像ファイルを「法留基礎」フォルダに保存する。画像ファイルが選択された場合、その画像ファイルが保存されているフォルダを上に遡っていけば「護岸基礎工、法留基礎工、法留基礎」という分類属性を一意に特定することができるため、ディジタル画像は「護岸基礎工、法留基礎工、法留基礎」という分類属性と関連付けられているといえる。ＤＳＣ１によって画像ファイルを分類属性毎のフォルダに保存するようにすると、ユーザは関連付けられている分類属性に対応するフォルダに各ディジタル画像を保存する作業を行わなくてよくなるため、ディジタル画像を分類属性毎のフォルダに整理する手間を低減できる。
【００３４】
以上説明した本発明の第一実施例に係るＤＳＣ１によると、ディジタル画像に写し込まれた黒板上の文字列を認識することによって分類属性を特定するため、撮像時にユーザによって分類属性が設定されなくても分類属性を特定できる。従ってユーザは設定の手間を低減できる。
更に、ＤＳＣ１によると、ディジタル画像は特定された分類属性に対応するフォルダに保存されるため、ユーザはディジタル画像を分類属性毎のフォルダに手作業で整理する手間を低減できる。このため、工事現場写真のように分類属性が数百にも上る場合は、整理の手間を大幅に低減することができる。
【００３５】
なお、第一実施例ではパターンマッチングによってディジタル画像上の図形を認識する場合を例に説明したが、公知のＯＣＲと同様にして文字認識するようにしてもよい。
また、第一実施例では認識に失敗するとユーザに分類属性を指定させているが、認識に失敗した場合は認識不能に対応するフォルダに保存するようにしてもよい。認識不能に対応するフォルダに保存しておけば、リムーバブルメモリ２２に保存されているディジタル画像のうちどれが認識に失敗したディジタル画像であるかを容易に特定できる。
【００３６】
また、第一実施例では図形として文字を例に説明したが、図形は四角や丸などといった文字以外のものであってもよい。
また、第一実施例ではディジタルカメラとしてディジタルスチルカメラを例に説明したが、ディジタルビデオカメラやカメラ機能付き携帯電話に本発明を適用してもよい。
【００３７】
（第二実施例）
図８は、第二実施例に係る黒板領域指定画面の模式図である。第二実施例では黒板領域を自動認識するのではなく、ユーザが操作部１９を操作して領域を指定することによって行う。
第二実施例のＤＳＣは、Ｓ１１０において黒板領域指定画面４５を表示し、ユーザによる黒板領域の指定を受け付ける。黒板領域指定画面４５には図示するように枠４６が表示される。ユーザは操作部１９を操作して枠４６の位置や大きさを調整することにより黒板領域を指定する。第二実施例はその他の点において第一実施例と実質的に同一である。
第二実施例のＤＳＣによると、黒板領域をユーザが指定するため、ＤＳＣは確実に黒板領域を特定することができる。
【００３８】
（第三実施例）
図９は、第三実施例に係る画像ファイルのファイル構造を示す模式図である。画像ファイルはヘッダ領域５１及び画像データ領域５２を含んでいる。ヘッダ領域５１は画像データ領域５２の先頭アドレスを示すポインタ、分類属性、その他、作成日付、画像サイズなどのヘッダ情報が記録される領域である。画像データ領域５２は画像データが記録される領域である。表示の際にはヘッダ領域５１からポインタを読み込むことで画像データ領域５２の先頭アドレスを特定でき、それにより画像データを読み込むことができる。画像ファイルのファイル形式は分類属性を格納可能な形式であればよく、例えばＴＩＦＦ形式やＥｘｉｆ形式を画像ファイルのファイル形式として用いることができる。
【００３９】
第三実施例のＤＳＣは、Ｓ１３５において、ディジタル画像と分類属性とを同一の画像ファイルに格納して保存する。例えば分類属性として「護岸基礎工、法留基礎工、法留基礎」が特定されたとする。この場合、ＤＳＣは画像ファイルに「護岸基礎工」、「法留基礎工」、「法留基礎」という文字列を格納し、当該画像ファイルをリムーバブルメモリ２２の所定のフォルダに保存する。画像ファイルが選択された場合、その画像ファイルから分類属性を読み込むことにより「護岸基礎工、法留基礎工、法留基礎」という分類属性を一意に特定することができるため、画像ファイルに格納されているディジタル画像は「護岸基礎工、法留基礎工、法留基礎」という分類属性と関連付けられているといえる。第三実施例はその他の点において第一実施例と実質的に同一である。
【００４０】
（第四実施例）
図１０は、第四実施例に係るリムーバブルメモリ２２の記憶内容を示す模式図である。第四実施例では、画像ファイルのファイル名に分類属性を表す文字列を含めることによってディジタル画像を分類属性と関連付ける。
第四実施例のＤＳＣは、Ｓ１３５において、ファイル名に分類属性が含まれる画像ファイルを作成し、作成した画像ファイルにディジタル画像を格納する。例えば分類属性として「護岸基礎工、法留基礎工、法留基礎」が特定されたとする。この場合、ＤＳＣは画像ファイルに図１０に示すように「護岸基礎工-法留基礎工-法留基礎．ｊｐｇ」というファイル名を付与する。画像ファイルが選択された場合、その画像ファイルのファイル名から「護岸基礎工、法留基礎工、法留基礎」という分類属性を一意に特定することができるため、画像ファイルに格納されているディジタル画像は「護岸基礎工、法留基礎工、法留基礎」という分類属性と関連付けられているといえる。第四実施例はその他の点において第一実施例と実質的に同一である。
【００４１】
（第五実施例）
図１１は、第五実施例に係るファイル処理システムを示す模式図である。ファイル処理システム６０は、第三実施例に係るＤＳＣ６１と、ファイル処理装置としてのパーソナルコンピュータ（ＰＣ）６２とで構成されている。ＰＣ６２はＣＰＵ、ＲＯＭ、ＲＡＭ、マウス、キーボード、ディスプレイ、リムーバブルメモリ２２を読み書き可能な第一の外部記憶部、第二の記憶媒体としてのハードディスクを読み書き可能な第二の外部記憶部などを備え、これらはバスで相互に接続されている。ＣＰＵはＲＯＭや第二の外部記憶部に記憶されているプログラムを実行してＰＣ６２の全体を制御する。また、ＣＰＵは第二の外部記憶部に記憶されているファイル処理プログラムを実行することで第二の保存手段としても機能する。
【００４２】
次に、ＰＣ６２の処理について説明する。
図１２は、ＰＣ６２の処理の流れを示すフローチャートである。図１２に示す処理は、リムーバブルメモリ２２が第一の外部記憶部に接続され、ユーザにより所定の操作が行われると開始される。
Ｓ２０５では、リムーバブルメモリ２２から画像ファイルを一つ選択し、当該画像ファイルから分類属性を取得する。
【００４３】
Ｓ２１０では、第一実施例と同様に、取得した分類属性に対応するフォルダを第二の外部記憶部に作成する。
Ｓ２１５では、選択した画像ファイルを第二の外部記憶部の作成したフォルダに保存する。
Ｓ２２０では、リムーバブルメモリ２２に記憶されている全ての画像ファイルについて保存が終了したか否かを判定し、終了していなければＳ２０５に戻って全ての画像ファイルの保存が終了するまで処理を繰り返す。全ての画像ファイルについて保存が終了していれば処理を終了する。以上により、リムーバブルメモリ２２に記憶されている画像ファイルが第一実施例と同様に分類属性毎にフォルダに整理されて第二の外部記憶部に保存される。
【００４４】
第五実施例のファイル処理システムによると、第三実施例でリムーバブルメモリ２２に保存した画像ファイルを分類属性毎のフォルダに整理して保存することができる。このため、第三実施例に係るＤＳＣで工事現場を撮像したユーザは、画像ファイルを分類属性毎に整理する手間を低減できる。
【００４５】
なお、第五実施例では第三実施例でリムーバブルメモリ２２に保存した画像ファイルを整理する場合を例に説明したが、第四実施例でリムーバブルメモリ２２に保存した画像ファイルを整理するようにしてもよい。
【図面の簡単な説明】
【００４６】
【図１】本発明の第一実施例に係る第一の記憶媒体のフォルダ構造の模式図。
【図２】本発明の第一実施例に係るディジタルカメラのブロック図。
【図３】本発明の第一実施例に係るディジタル画像の一例の模式図。
【図４】本発明の第一実施例に係る画像分類プログラムのブロック図。
【図５】本発明の第一実施例に係るフローチャート。
【図６】本発明の第一実施例に係る画面の模式図。
【図７】本発明の第一実施例に係る画面の模式図。
【図８】本発明の第二実施例に係る画面の模式図。
【図９】本発明の第三実施例に係る画像ファイルのファイル構造の模式図。
【図１０】本発明の第四実施例に係る第一の記憶媒体の記憶内容を示す模式図。
【図１１】本発明の第五実施例に係るファイル処理システムの模式図。
【図１２】本発明の第五実施例に係るフローチャート。
【符号の説明】
【００４７】
１  ディジタルスチルカメラ（ディジタルカメラ）、１１  光学系（撮像手段）、１２  イメージセンサ（撮像手段）、１３  アナログフロントエンド部（撮像手段）、１４  ディジタル画像処理部（撮像手段）、１８  表示部（指示受付手段）、１９  操作部（指示受付手段）、２０  制御部（撮像手段、第一の保存手段、指示受付手段）、２１  外部記憶部（第一の保存手段）、２２  リムーバブルメモリ（第一の記憶媒体）、３０  ディジタル画像、６０  ファイル処理システム、６１  ディジタルスチルカメラ（ディジタルカメラ）、６２  パーソナルコンピュータ（ファイル処理装置）
【図１】
2006074157.tif 000003
【図２】
2006074157.tif 000004
【図３】
2006074157.tif 000005
【図４】
2006074157.tif 000006
【図５】
2006074157.tif 000007
【図６】
2006074157.tif 000008
【図７】
2006074157.tif 000009
【図８】
2006074157.tif 000010
【図９】
2006074157.tif 000011
【図１０】
2006074157.tif 000012
【図１１】
2006074157.tif 000013
【図１２】
2006074157.tif 000014